(57)【要約】      （修正有）【課題】簡易かつ確実にフィルムを剥離することができるフィルム剥離具を提供する。【解決手段】２枚のフィルムを剥離するフィルム剥離具は、台座部１と、台座部１に設けられた粘着剤２と、台座部１を壁面Ｘに固定する固定手段３とを備える。台座部１は、平板または粘着剤側の面が傾斜したブロック形状であって、粘着剤２は、防汚処理または水洗いによる繰り返し使用可能に構成される。【選択図】図１
0003218394.tif 000002
【実用新案登録請求の範囲】
【請求項１】
２枚のフィルムを剥離するフィルム剥離具であって、
台座部と、
前記台座部に設けられた粘着剤と、
前記台座部を壁面に固定する固定手段と
を備え、
前記台座部は、平板または粘着剤側の面が傾斜したブロック形状であって、
前記粘着剤は、防汚処理または水洗いによる繰り返し使用可能に構成されることを特徴とするフィルム剥離具。
【請求項２】
請求項１記載のフィルム剥離具において、
前記粘着剤が透明材料で構成されることにより、台座部に描かれた図案が表出されることを特徴とするフィルム剥離具。
【請求項３】
請求項１または２記載のフィルム剥離具において、
前記固定手段が、両面テープと永久磁石と吸盤とねじとから選択可能に構成されることを特徴とするフィルム剥離具。
【請求項４】
請求項１乃至３のうちいずれか１項記載のフィルム剥離具において、
前記台座部がフィルム状の袋を支持する支持手段と一体に構成させることを特徴とするフィルム剥離具。
【考案の詳細な説明】
【技術分野】
【０００１】
本考案は、２枚のフィルムを剥離するフィルム剥離具に関する。
【背景技術】
【０００２】
従来、この種のフィルム剥離具としては、下記特許文献１に示すように、一対の作動片の内側部分に粘着剤を設けて、一対の作動片でフィルムを挟むことで、フィルムを剥離するものが知られている。
【先行技術文献】
【特許文献】
【０００３】
【特許文献１】特許第４８７５２１５号公報
【考案の概要】
【考案が解決しようとする課題】
【０００４】
しかしながら、特許文献１のフィルム剥離具では、フィルムを一対の作動片の間にセットし、次に、作動片を摘むようにして接近させてフィルムを挟み込ませて、作動片の内側にそれぞれ設けられた粘着剤にフィルムを付着させる。さらに、次に、作動片を離間させて、その上、各作動片の内側の粘着剤と一体となったフィルムを、それぞれ粘着剤から剥離させる必要がある。
【０００５】
このように、従来のフィルム剥離具では、剥離のための工程が多く非常に煩雑である。
【０００６】
以上の事情に鑑みて、本考案は、簡易かつ確実にフィルムを剥離することができるフィルム剥離具を提供することを目的とする。
【課題を解決するための手段】
【０００７】
第１考案のフィルム剥離具は、２枚のフィルムを剥離するフィルム剥離具であって、
台座部と、
前記台座部に設けられた粘着剤と、
前記台座部を壁面に固定する固定手段と
を備え、
前記台座部は、平板または粘着剤側の面が傾斜したブロック形状であって、
前記粘着剤は、防汚処理または水洗いによる繰り返し使用可能に構成されることを特徴とする。
【０００８】
第１考案のフィルム剥離具によれば、固定手段を介して壁面に固定された台座部の表面に粘着剤が設けられている。そのため、フィルムを剥離する際には、２枚のフィルムのうちの１枚を粘着剤に接着させ、そのままフィルム全体を台座部から離間させるだけで、粘着剤と接着した１枚のフィルムのみが残りのフィルムから引き離された上で、フィルム全体が粘着剤から分離される。
【０００９】
そのため、剥離のためにフィルムを粘着剤に押し付けて引き離すだけで剥離が完了するため、剥離のための工程が非常に少なく煩雑さを感じさせない。
【００１０】
このように、第１考案のフィルム剥離具によれば、簡易かつ確実にフィルムを剥離することができる。
【００１１】
第２考案のフィルム剥離具は、第１考案において、
前記粘着剤が透明材料で構成されることにより、台座部に描かれた図案が表出されることを特徴とする。
【００１２】
第２考案のフィルム剥離具によれば、台座部に描かれた図案が表出することで、粘着剤部分を目立たせて簡易かつ確実にフィルムを剥離させつつ、当該フィルム剥離具の持ち去りを防止しつつ、ノベルティ商品としての利用も可能となる。
【００１３】
第３考案のフィルム剥離具は、第１または第２考案において、
前記固定手段が、両面テープと永久磁石と吸盤とねじとから選択可能に構成されることを特徴とする。
【００１４】
第３考案のフィルム剥離具によれば、様々形状の台座部に対して、任意の固定方法を採用可能に構成することができる。
【００１５】
このように、第３考案のフィルム剥離具によれば、任意の固定方法を採用可能としつつ、簡易かつ確実にフィルムを剥離することができる。
【００１６】
第４考案のフィルム剥離具は、第１〜第３のいずれかの考案において、
前記台座部がフィルム状の袋を支持する支持手段と一体に構成させることを特徴とする。
【００１７】
第４考案のフィルム剥離具によれば、フィルムの剥離の多くは２枚のフィルムで構成される、いわゆるレジ袋の剥離の用途が多いところ、レジ袋を支持するフックやクリップ等の支持手段を台座部と一体に構成することで、利便性を向上させることができる。
【００１８】
このように、第４考案のフィルム剥離具によれば、使用頻度の高いレジ袋と一体させることでき、利便性を向上させつつ、容易かつ確実にフィルムを剥離することができる。
【図面の簡単な説明】
【００１９】
【図１】本実施形態のフィルム剥離具を示す斜視図。
【図２】図１のフィルム剥離具による２枚のフィルムの剥離の様子を示す説明図。
【図３】図１のフィルム剥離具の変更例を示す斜視図。
【図４】図１のフィルム剥離具の変更例を示す斜視図。
【考案を実施するための形態】
【００２０】
本考案の一実施形態としてのフィルム剥離具について説明する。
【００２１】
図１に示すように、フィルム剥離具は、２枚のフィルムを剥離するフィルム剥離具であって、台座部１と、台座部１に設けられた粘着剤２と、台座部１を壁面に固定する固定手段３とを備える。
【００２２】
台座部１は、例えば、コルク板などの平板である。なお、後述するように、台座部１は、平板状のものに限らず、マグネットクリップや粘着面が傾斜したブロック形状であってもよい。
【００２３】
粘着剤２は、例えば、粘着マット（適度な柔軟性を有する板材の両面に粘着性を有するもの、例えば、耐震マット）であって、特に、透明材料により構成される。
【００２４】
かかる粘着剤２を構成する粘着マットは、防汚処理または水洗いによる繰り返し使用可能となっている。
【００２５】
ここで、粘着剤２が透明材料により構成されることにより、図１に示すように、台座部１に刻印や描かれた図案４が透明材料を通して表出され、視認可能となっている。
【００２６】
固定手段３は、台座部１を壁面Ｘに固定する手段であって、例えば、永久磁石（台座部１側は接着剤や両面テープにより台座部１と一体化される）により構成される。
【００２７】
なお、固定手段３は、永久磁石に限らず、台座部１を壁面に固定する手段であれば、両面テープやねじを選択してもよく、これらを組み合わせて用いてもよい。
【００２８】
図案４は、例えば、台座部１へのロゴなどの刻印のほか、台座部１への直接プリントやシールの貼付などであってもよい。
【００２９】
以上が本実施形態のフィルム剥離具の構成である。
【００３０】
次に、図２を参照して、実施形態のフィルム剥離具の使用方法について説明する。
【００３１】
まず、図２Ａに示すように、固定手段３を介して壁面Ｘに固定された台座部１の表面に設けられた粘着剤２に対して、開口部が密着した２枚のフィルムａ，ｂのいずれかのフィルム面（図２Ａでは、フィルムｂのフィルム面）を近づける。
【００３２】
そして、図２Ｂに示すように、フィルムｂのフィルム面が粘着剤２に接着したら、そのまま、２枚のフィルムａ，ｂを粘着剤２（台座部１）から離間させるように引っ張ると、図２Ｃに示すように、粘着剤２と接着した１枚のフィルムｂのみが、残りのフィルムａから引き離される。
【００３３】
そして、そのまま、２枚のフィルムａ，ｂを引っ張り続けると、図２Ｄに示すように、粘着剤２と接着したフィルムｂも粘着剤２から分離され、２枚のフィルム全体がフィルム剥離具から分離される。
【００３４】
このように、本実施形態のフィルム剥離具によれば、簡易かつ確実にフィルムを剥離することができる。
【００３５】
さらに、粘着剤２は、防汚処理または水洗いによる繰り返し使用可能となっているため、繰り返しフィルムの分離のための剥離行っても、汚れが付着して剥離性が低下すること防止することができる。
【００３６】
次に、図３および図４を参照して、本実施形態のフィルム剥離具の変更例について説明する。なお、同一の構成については、同一符号を付して説明を省略する。
【００３７】
図３では、台座部１をマグネットクリップを台座部１１と構成している。すなわち、台座部１１は、ねじりばねなどにより把持可能なクリップであって、つまみの表面側に粘着剤２が設けられると共に、固定手段３としてのマグネットが裏面側に一体に構成されている。
【００３８】
かかるフィルム剥離具によれば、粘着剤２は、クリップのつまみに設けられることから、適度な傾斜を持たせることでき、粘着剤２と接着させたフィルムを粘着剤２から分離する際に、分離し易くすることができる。
【００３９】
さらに、フィルムの剥離の多くは２枚のフィルムで構成される、いわゆるレジ袋の剥離の用途が多いところ、支持手段としてのクリップを台座部１１と一体に構成することができ、利便性を向上させることができる。
【００４０】
これは、図４に示す本実施形態の他の変更例の場合も同様である。すなわち、図４では、
台座部１２を、表面側を傾斜させたブロック体（例えば、木製や合成樹脂製）で構成し、支持手段としてのフック１３を台座部１２下部に設けている。
【００４１】
かかるフィルム剥離具の場合にも、粘着剤２に適度な傾斜を持たせることでき、粘着剤２と接着させたフィルムを粘着剤２から分離する際に、分離し易くすることができる。
【００４２】
さらに、フィルムの剥離の多くは２枚のフィルムで構成される、いわゆるレジ袋の剥離の用途が多いところ、支持手段としてのフックを台座部１１と一体に構成することができ、利便性を向上させることができる。
【００４３】
このように、これらの変更例のフィルム剥離具によれば、使用頻度の高いレジ袋と一体させることでき、利便性を向上させつつ、より容易かつ確実にフィルムを剥離することができる。
【符号の説明】
【００４４】
１，１１，１２…台座部、２…粘着剤、３…固定手段、４…図案、１３…フック（支持手段）、ａ，ｂ…フィルム、Ｘ…壁面。
【図１】
0003218394.tif 000003
【図２】
0003218394.tif 000004
【図３】
0003218394.tif 000005
【図４】
0003218394.tif 000006